(57)【要約】【課題】カバーの開状態を安定させることが可能なカバーの保持構造を提供する。【解決手段】外部機器を接続させるための端子４０が内蔵され、端子４０に対向する開口部１２が形成されている筐体１０と、開口部１２を開閉可能に筐体１０に取り付けられているカバー２０と、を備え、カバー２０または筐体１０の一方に突起部２１が設けられ、カバー２０または筐体１０の他方に、カバー２０が開いた開状態で突起部２１と嵌合される穴部１１が設けられ、突起部２１が穴部１１に嵌合されているときに開状態が維持されている。【選択図】  図４
2014239368.tif 000002
【特許請求の範囲】
【請求項１】
外部機器を接続させるための端子が内蔵され、該端子に対向する開口部が形成されている筐体と、
前記開口部を開閉可能に前記筐体に取り付けられているカバーと、を備え、
前記カバーまたは前記筐体の一方に突起部が設けられ、前記カバーまたは前記筐体の他方に、前記カバーが開いた開状態で前記突起部と嵌合される穴部が設けられ、前記突起部が前記穴部に嵌合されているときに前記開状態が維持されている、カバーの保持構造。
【請求項２】
前記カバーの外面に前記突起部が設けられ、前記筐体に前記穴部が設けられ、
前記突起部が、前記カバーを開くための取手部として機能する、請求項１に記載のカバーの保持構造。
【請求項３】
前記突起部が、平板状に形成されている、請求項１または２に記載のカバーの保持構造。
【請求項４】
請求項１から３のいずれか１項に記載のカバーの保持構造を備えた電子機器。
【請求項５】
前記電子機器が、携帯端末である、請求項４に記載の電子機器。
【発明の詳細な説明】
【技術分野】
【０００１】
本発明は、端子を保護するカバーが開いた状態を維持するカバーの保持構造、およびその保持構造を備えた電子機器に関する。
【背景技術】
【０００２】
携帯電話機、スマートフォンに代表される携帯端末には、近年、外部機器を接続させるための端子、例えばマイクロＵＳＢ（Universal Serial Bus）ポートやヘッドセットジャックを内蔵した機種がある。このような機種の携帯端末には、一般的に、端子を保護するカバーが筐体に開閉可能に取り付けられている。このカバーの構造に関し、特許文献１には、埃などの異物が端子に付着するのを防ぐためにカバーが閉じた状態を維持する構造が提案されている。特許文献２、３には、ユーザが外部機器を携帯端末に接続する際の操作性を向上させるためにカバーが開いた状態を維持する構造が開示されている。
【０００３】
図７は、特許文献３に開示されたカバーの保持構造を示す図である。図７（ａ）は、カバー１０２が閉じた状態を示す平面図である。図７（ｂ）は、カバー１０２が閉じた状態を示す側面図である。図７（ｃ）は、カバー１０２が開いた状態を示す側面図である。カバー１０２は、ヒンジ部１０４を介して支持部１０３に連結されている。支持部１０３は、筐体１０１に取り付けられている。カバー１０２の内面には突起部１０５が形成されている。支持部材１０３には穴部１０７が形成されている。突起部１０５が穴部１０７に嵌合することによって、カバー１０２の開状態が維持される。これにより、外部機器を筐体１０１に接続するための空間１０６（図７（ｃ）参照）を確保することが可能となる。
【先行技術文献】
【特許文献】
【０００４】
【特許文献１】実開平０４−０５９１８６号公報
【特許文献２】実開平０５−５３１４１号公報
【特許文献３】特開２００８−２３５０６９号公報
【発明の概要】
【発明が解決しようとする課題】
【０００５】
図７に示す保持構造では、突起部１０５が穴部１０７に嵌合しているとき、カバー１０２は支持部材１０３の上に積載されている(図７（ｃ）参照)。この支持部材１０３は弾性体で構成されているので、支持部材１０３がカバー１０２の重みによって撓む可能性がある。すなわち、図７に示す保持構造は、カバー１０２の開状態が安定していない。
【０００６】
図７に示す保持構造において支持部材１０３が撓むと、空間１０６が狭まり、外部機器を筐体１０１に接続する際に操作性の低下が懸念される。
【０００７】
そこで、本発明は、カバーの開状態を安定させることが可能なカバーの保持構造、およびその保持構造を備えた電子機器を提供することを目的とする。
【課題を解決するための手段】
【０００８】
上記目的を達成するために、本発明のカバーの保持構造は、外部機器を接続させるための端子が内蔵され、該端子に対向する開口部が形成されている筐体と、前記開口部を開閉可能に前記筐体に取り付けられているカバーと、を備え、前記カバーまたは前記筐体の一方に突起部が設けられ、前記カバーまたは前記筐体の他方に、前記カバーが開いた開状態で前記突起部と嵌合される穴部が設けられ、前記突起部が前記穴部に嵌合されているときに前記開状態が維持されている。
【０００９】
上記目的を達成するために、本発明の電子機器は、上記カバーの保持構造を備えている。
【発明の効果】
【００１０】
本発明によれば、カバーの開状態を安定させることが可能となる。
【図面の簡単な説明】
【００１１】
【図１】本発明の保持構造を備えた電子機器の一実施形態を示す斜視図である。
【図２】カバー２０を拡大して示した斜視図である。
【図３】筐体１０の内部を示す図である。
【図４】筐体１０の内部を示す図である。
【図５】図１に示す電子機器の変形例を示す図である。
【図６】カバー２０の変形例を示す斜視図である。
【図７】特許文献３に開示されたカバーの保持構造を示す図である。
【発明を実施するための形態】
【００１２】
本発明の実施形態について図面を参照しながら説明する。
【００１３】
図１は、本発明の保持構造を備えた電子機器の一実施形態を示す斜視図である。本実施形態の電子機器１は、携帯電話機やスマートフォンに代表される携帯端末とする。本発明の電子機器には、上述した携帯端末だけでなく、例えば、ゲーム機、タブレットＰＣ（Personal Computer）、ノートＰＣ、ＰＤＡ（Personal Data Assistants）、およびデジタルカメラにも適用可能である。
【００１４】
まず、本実施形態の電子機器１の構成について説明する。図１に示す電子機器１は、筐体１０を有している。筐体１０の側面には、カバー２０が取り付けられている。
【００１５】
図２は、カバー２０を拡大して示した斜視図である。図２に示すように、カバー２０の外面には突起部２１が設けられている。カバー２０には腕部３０が連結されている。腕部３０は、ゴム系の材料で構成されている。
【００１６】
図３および図４は、筐体１０の内部を示す図である。図３および図４は、図１に示す電子機器１を上から見たときの筐体１０の内部を示している。図３は、カバー２０が閉じた閉状態を示す。一方、図４は、カバー２０が開いた開状態を示す。
【００１７】
図３および図４に示すように、筐体１０には外部機器を接続させるための端子４０が内蔵されている。端子４０は、筐体１０の内部に設置された回路基板（不図示）に搭載されている。
【００１８】
本実施形態の電子機器１では、外部機器はマイクロＵＳＢプラグであり、端子４０はマイクロＵＳＢポートである。ただし、本発明では、外部機器がマイクロＵＳＢプラグであり、端子４０がマイクロＵＳＢポートである形態に限定されない。例えば、外部機器がヘッドセットであり、端子４０がヘッドセットジャックである形態であってもよい。
【００１９】
端子部４０に対向する位置には開口部１２が形成されている（図４参照）。この開口部１２は、カバー２０によって開閉される。そのため、カバー２０は、開口部１２を開閉可能に筐体１０に取り付けられている。以下、カバー２０の筐体１０への取り付け形態について詳しく説明する。
【００２０】
筐体１０の一部品であるフロントケース１３には、内部空間１４が形成されている。内部空間１４には、腕部３０が挿入されている。カバー２０が筐体１０の外側に向かう方向Ａ（図３参照）に回転移動するのに連動して腕部３０は開口部１２に向かう方向Ｂ（図３参照）に移動する。さらにカバー２０の回転移動に伴って腕部３０は、折れ曲がる（図４参照）。
【００２１】
次に、本実施形態の電子機器１について、端子４０に外部機器を接続させる際の動作について説明する。
【００２２】
まず、ユーザが、突起部２１を摘まんでカバー２０を方向Ａに開くと、腕部３０が方向Ｂに移動し始める。腕部３０は、上述したようにゴム系の材料で構成されているので、カバー２０は、閉状態（図３参照）から約１８０度回転移動できる（図４参照）。
【００２３】
次に、ユーザが突起部２１を穴部１１に嵌め込む。突起部２１が穴部１１に嵌合されると、カバー２０の開状態（図４参照）が維持される。本実施形態では、穴部１１は、サイドカバー１２に形成されている。サイドカバー１２は、フロントケース１３に取り付けられている。サイドカバー１２は、フロントケース１３と一体に構成されていてもよい。
【００２４】
上述したように、本実施形態のカバー２０の保持構造によれば、カバー２０に突起部２１が形成され、筐体１０に穴部１１が形成されている。そして、突起部２１が穴部１１に嵌合されることによって、カバー２０の開状態が維持される。
【００２５】
図７に示す保持構造では、上述したように、カバー１０２が開いているときに、カバー１０２は、筐体１０１ではなく弾性体である支持部材１０３に固定されている。そのため、支持部材１０３が、カバー１０２の重みで撓み、外部機器の接続が妨げられる事態が想定される。
【００２６】
しかし、本実施形態の保持構造では、カバー２０が開状態のときに筐体１０に直接固定されている。そのため、上述した事態が起こらない。これにより、カバー２０の開状態が安定する。よって、ユーザがマイクロＵＳＢプラグを電子機器１に接続させる際にカバー２０が邪魔にならない。
【００２７】
カバー２０の開状態が安定すると、ユーザがマイクロＵＳＢプラグを接続したまま電子機器１を持ち運んでいるときにカバー２０が指に引っ掛かったりどこかにぶつかったりして破損する事態を回避することも可能となる。
【００２８】
さらに、本実施形態の保持構造では、突起部２１が、カバー２０を開くための取手部として機能している。これにより、ユーザはカバー２０を容易に開くことができるため、操作性が向上する。
【００２９】
本実施形態の電子機器１では、カバー２０に突起部２１が形成され、筐体１０に穴部１１が形成された構造となっている。しかし、本発明は、この構造に限定されない。本発明では、図５に示すようにカバー２１に穴部１１が形成され、筐体１０に突起部２１が形成された構造であってもよい。
【００３０】
上述した構造では、突起部２１は取手部として機能できない。しかし、この構造は、本実施形態の保持構造と同様に、突起部２１と穴部１１の嵌合によりカバー２０が筐体１０に直接固定される。したがって、図７に示す保持構造に比べてカバー２０の開状態を安定させることが可能となる。
【００３１】
本実施形態のカバー２０では、突起部２１の形状は円柱状である。しかし、本発明では、突起部の形状は特に制限されない。例えば、図６に示すように、突起部２１の形状は平板状であってもよい。この場合、穴部１１は、突起部２１が嵌合可能な形状に形成される。
【００３２】
突起部２１の形状が平板状の場合、円柱状に比べてユーザは突起部２１を掴みやすくなる。そのため、ユーザがカバー２０を開くときの操作性がより一層向上する。
【符号の説明】
【００３３】
１  電子機器
１０筐体
１１  穴部
１２  サイドカバー
１３  フロントケース
１４  内部空間
２０  カバー
２１  突起部
３０  腕部
４０  端子
１０１  筐体
１０２  カバー
１０３  支持部
１０４  ヒンジ部
１０５  突起部
１０６  空間
１０７  穴部
【図１】
2014239368.tif 000003
【図２】
2014239368.tif 000004
【図３】
2014239368.tif 000005
【図４】
2014239368.tif 000006
【図５】
2014239368.tif 000007
【図６】
2014239368.tif 000008
【図７】
2014239368.tif 000009